(57)【特許請求の範囲】
【請求項１】
内部に上下に連続したエレベータ昇降路を形成するエレベータの塔屋に出入り口を設けると共に、塔屋から外側方に突出する通路用梁と、通路用梁に直交して取付けられる複数の支持枠材と、支持枠材の上に敷設される床上面材とで前記出入り口に通じる外側方に突出した通路用床を形成し、通路用梁の突出端部に取付けられる支持枠材を通路用梁に対して高さ調整自在に取付けることでこの通路用床の床上面材の突出先端側の高さを調整する高さ調整手段を設けて成ることを特徴とするエレベータの塔屋の構造。
【請求項２】
通路用梁がウェッブ片の両側にフランジ片を一体に備えたＨ型鋼により形成され、通路用梁をウェッブ片が横向きとなるように配置してあることを特徴とする請求項１記載のエレベータの塔屋の構造。
【発明の詳細な説明】
【０００１】
【発明の属する技術分野】
本発明は、中層階の建物の外側方位置に構築して建物の目的とする階への登り降りができるようにするためのエレベータの塔屋の構造に関するものである。
【０００２】
【従来の技術】
既設の中層のマンションなどにおいてはエレベータが設置してないものが多くあり、近年、既設の中層のマンションなどにエレベータを設置する要望がある。既設の中層のマンションなどにエレベータを設置するには、既存の建物に居住者が住んでいるため、既存の建物に殆ど手を加えることなくエレベータを設置する必要がある。このため、既存の建物の外側方にエレベータ用塔屋を形成するようにしている。
【０００３】
そして、既存の建物の外側方にエレベータ用塔屋を形成するのであるが、このエレベータ用塔屋に出入り口を設けるとともに該出入り口に通じる外側方に突出した通路用床を形成し、この通路用床により既存の建物の階段の踊り場や外廊下とエレベータ用塔屋の出入り口とを接続するようにしている。
【０００４】
ところが、現場の状況に応じて通路用床と既存の建物の階段の踊り場や外廊下との間に段差が生じやすく、特に、複数のエレベータ用塔屋ユニットを積み上げて形成するようなものの場合、あらかじめユニットに形成される通路用床の取付け位置が決まっており、上記段差がいっそう生じやすいものである。
【０００５】
また、通路用床の構造材である通路用梁はＨ型鋼により形成してあるが、通常Ｈ型鋼の梁は鉛直方向が強軸方向となるようにウェッブ片が垂直となるような姿勢で通路用梁を使用している。ところが、既存の建物の外側方にエレベータ用塔屋を形成する場合、上記通路用梁の先端部を既存の建物に連結してエレベータ用塔屋の倒れ防止を行うが、Ｈ型鋼の梁を鉛直方向が強軸方向となるようにすると、水平方向が弱軸方向となり、したがって、水平方向の応力に対して部材設計をすると、強軸方向に対する性能は過剰なものとなるという問題がある。
【０００６】
【発明が解決しようとする課題】
本発明は上記の点に鑑みてなされたものであり、通路用床と既存の建物の階段の踊り場や外廊下との間に段差が生じないようにでき、また、合理的な構成でエレベータ用塔屋の倒れ防止ができるエレベータの塔屋の構造を提供することを課題とするものである。
【０００７】
【課題を解決するための手段】
上記課題を解決するために本発明に係るエレベータの塔屋の構造は、内部に上下に連続したエレベータ昇降路２を形成するエレベータの塔屋Ａに出入り口３を設けると共に、塔屋Ａから外側方に突出する通路用梁４ｂと、通路用梁４ｂに直交して取付けられる複数の支持枠材４ｃと、支持枠材４ｃの上に敷設される床上面材４ａとで前記出入り口３に通じる外側方に突出した通路用床４を形成し、通路用梁４ｂの突出端部に取付けられる支持枠材４ｃを通路用梁４ｂに対して高さ調整自在に取付けることでこの通路用床４の床上面材４ａの突出先端側の高さを調整する高さ調整手段を設けて成ることを特徴とするものである。このような構成とすることで、通路用梁４ｂの突出端部に取付けられる支持枠材４ｃを通路用梁４ｂに対して高さ調整して通路用床４の床上面材４ａの突出先端側の高さを調整することで、エレベータの塔屋Ａに隣接する既存の建物の階段の踊り場や外廊下との間に段差が生じないようにすることができるものである。
【０００９】
また、通路用梁４ｂがウェッブ片４ｂ１の両側にフランジ片４ｂ２を一体に備えたＨ型鋼により形成され、通路用梁４ｂをウェッブ片４ｂ１が横向きとなるように配置してあることが好ましい。このような構成とすることで、強軸方向が水平方向となり、通路用梁４ｂの先端部を既存の建物に連結した場合に水平方向が強軸方向となった通路用梁４ｂにおけるエレベータの塔屋Ａの倒れを防止する性能が向上するものであり、一方、弱軸方向である垂直方向においては、主に通路用床４の上を通る人や物の荷重を支持するのみでよいので、垂直方向が弱軸方向となっても問題がないものである。
【００１０】
【発明の実施の形態】
以下、本発明を添付図面に示す実施形態に基づいて説明する。
【００１１】
本発明のエレベータの塔屋Ａはあらかじめ工場で形成されたエレベータ用塔屋ユニット１を現場で上下に複数個積み重ねて構築するもので、上下に積み重ねることで内部に上下に連続したエレベータ昇降路２が形成されるものである。
【００１２】
エレベータ用塔屋ユニット１としては、出入り口３を備え且つ該出入り口３に通じる通路用床４を一体に形成したエレベータ用塔屋基本ユニット５、最下部に配置される出入り口３を備えたエレベータ用塔屋最下部ユニット１５、最上部に配置されるエレベータ用塔屋最上段ユニット９、出入り口３が無く且つ庇部を一体に形成したエレベータ用塔屋副ユニット６等の複数種類のものが用いられ、少なくともエレベータ用塔屋基本ユニット５、エレベータ用塔屋最下部ユニット１５、エレベータ用塔屋最上段ユニット９の各ユニットは用いるものであり、エレベータ用塔屋副ユニット６は現場により用いる場合と用いない場合とがある。
【００１３】
上記いずれのエレベータ用塔屋ユニット１もその基本的な構造は、図８乃至図１０に示すように柱１６、梁１７、火打梁２４等を連結固着して架構体ユニットを構成し、この架構体ユニットにブレースを架け渡し、架構体ユニットの外面部に外壁材を取着して外壁部１１を構成したものであり、角筒状をしており、後述のエレベータ用塔屋最上段ユニット９を除く他のエレベータ用塔屋ユニット１は上下に開口しているものである。
【００１４】
エレベータ用塔屋基本ユニット５は、高さがエレベータ用塔屋ユニット１を付設する建物Ｂの階高さに略等しいとともに出入り口３を備え且つ該出入り口３に通じる通路用床４を一体に形成したものである。出入り口３には開閉扉３ａが開閉自在に取付けられる。この開閉扉３ａを現場で組み込むようにしてもよいが、現場工事の短縮化、簡略化ということからあらかじめ工場でエレベータ用塔屋基本ユニット５を形成する際に開閉扉３ａを組み込むのが好ましいものである。
【００１５】
通路用床４は図９、図１４乃至図１６に示すように、架構体ユニットの梁１７部分から直交して片持梁状に通路用梁４ｂ２を複数本、実施形態では２本突設し、この通路用梁４ｂ間に複数本の支持枠材４ｃを直交して取付け、支持枠材４ｃの上に床上面材４ａを敷設して構成してある。また、複数の通路用梁４ｂの前端部間には前梁４ｆが一体に架設してある。
ここで、通路用梁４ｂの突出端部に取付けられる支持枠材４ｃは通路用梁４ｂに対して高さ調整自在に取付けてあって、支持枠材４ｃの高さを調整することで、床上面材４ａの突出先端側の端部の高さを調整できるようになっている。図１７には支持枠材４ｃの他の構成が示してある。なお、支持枠材４ｃに床上面材４ｂをあらかじめ固着してパネル化したものを用いてもよいものである。
【００１６】
また、通路用梁４ｂはウェッブ片４ｂ１の両側にフランジ片４ｂ２を一体に備えたＨ型鋼により形成してあり、本発明においては、通路用梁４ｂをウェッブ片４ｂ１が横向きとなるように配置してある。つまり、本発明の通路用梁４ｂは強軸方向が水平方向となっている。通路用梁４ｂの一方のフランジ片４ｂ２（フランジ片４ｂ２は垂直姿勢となるように配設される）の外面には長手方向の複数箇所に受け部４ｂ３が突設してあり、この受け部４ｂ３上にそれぞれ支持枠材４ｃを載設してボルト５０、ナット５１により取付けてある。ここで、通路用梁４ｂの突出先端側に取付けられる支持枠材４ｃは、通路用梁４ｂに対して高さ調整自在に取付けられるようになっており、高さ調整手段を構成する高さ調整用座金５２を受け部４ｂ３と支持枠材４ｃとの間に介在し、高さ調整用座金５２の厚みや数を調整することで、通路用梁４ｂの突出先端側に取付けられる支持枠材４ｃの高さを調整したり、あるいはボルト５０に対するナット５１の螺合位置を調整したりして通路用床４の床上面材４ａの突出先端側の高さを調整するようになっている。また、四隅に位置する受け部４ｂ３には来栖状にブレース材５８が架設してある。
【００１７】
通路用床４の両側には通路用側壁部１０が形成してあって、出入り口３及びその付近が風雨に曝されるのを防止するようになっている。図に示す各実施形態においては、前述のようにエレベータ用塔屋基本ユニット５から外側方に片持状に突出形成した通路用床４の一部（突出基部側）がエレベータ用塔屋ユニット１の内側に位置するようにエレベータ用塔屋基本ユニット５の側面部の一部を内側に凹ませてある。そして、通路用床４のエレベータ用塔屋基本ユニット５の内側に位置する部分の両側に通路用側壁部１０が形成してあってエレベータホール部を構成してある。また、両側の通路用側壁部１０の上部間に天井部１３を形成してもよいものである。
【００１８】
通路用床４の出入り口３と反対側の側部には手摺りや腰壁等の背の低い壁状ガード部１４を形成する。このように通路用床４の出入り口３と反対側の側部に防風・防雨用の前記通路用側壁部１０を設けることなく背の低い壁状ガード部１４を形成するのは以下の理由によるものである。すなわち、建物Ｂの外方に建物Ｂに近づけてエレベータ用の塔屋Ａを構築し、建物Ｂの形態によって建物Ｂの階段の踊り場や廊下等にエレベータ用の塔屋Ａ側に設けた通路用床４を接続又は近接対向させた場合、建物Ｂ側から煙が発生した場合に、建物Ｂとエレベータ用の塔屋Ａとの間が通路用側壁部１０で覆われた構成とすると排煙ができないことがある。したがって、通路用床４の出入り口３と反対側の側部に防風・防雨用の前記通路用側壁部１０を設けることなく背の低い壁状ガード部１４を形成することで、建物Ｂ側からの煙を背の低い壁状ガード部１４の上方の開口部分から排煙できるようにするのであり、同時に背の低い壁状ガード部１４を設けることで通路用床４を歩行する際の安全性を確保するようにしている。
【００１９】
エレベータ用塔屋ユニット１の主体を構成する架構体ユニットには四隅にＨ型鋼よりなる柱１６が位置しているが、エレベータ用塔屋基本ユニット５、エレベータ用塔屋最下部ユニット１５、エレベータ用塔屋副ユニット６の上端部においては柱１６の上端面に平プレート２１を固着し、この平プレート２１の上面部に断面コ字状をした鋼製の接続突部２２が突設してある。また、エレベータ用塔屋最下部ユニット１５の柱１６の下端面にはアンカーボルト連結用プレート２３が固着してある。
【００２０】
エレベータ用塔屋最下部ユニット１５には出入り口３が設けられるが、この出入り口３には工場であらかじめ開閉扉３ａを取付けたり、あるいは現場で開閉扉３ａを取付けたりする。
【００２１】
最上部に配置されるエレベータ用塔屋最上段ユニット９は屋根部７と庇部８とがあらかじめ形成してある。庇部８はエレベータ用塔屋最上段ユニット９の外側面部の下端部から外側方に向けて突出形成してある。
【００２２】
エレベータ用塔屋副ユニット６には出入り口３が設けてなく、また、エレベータ用塔屋副ユニット６の外側面部の下端部から外側方に向けて庇部８が突出形成してある。
【００２３】
上記のような構成の各種のエレベータ用塔屋ユニット１を工場で形成し、これを現場に運んで建物Ｂの側方に隣接した位置において複数積み重ねてエレベータの塔屋Ａを構築するものである。
【００２４】
塔屋Ａの形成に当たっては、図１乃至図４に示すように、建物Ｂの階段や外廊下の外側方位置において地面２５を掘削してピット２６を形成し、このピット２６の上端面にエレベータ用塔屋最下部ユニット１５を載設し、エレベータ用塔屋最下部ユニット１５の柱１６の下端面に設けたアンカーボルト連結用プレート２３に設けた孔２７（図１１に示す）にピット２６に植設したアンカーボルトを通してナットにより固着することで、エレベータ用塔屋最下部ユニット１５をピット２６に固着するものである。
【００２５】
ここで、添付図面に示す実施形態においては、ピット２６は図２に示すように、地上に突出した部分の側面部に開口２８を凹設して形成してあり、この開口２８とエレベータ用塔屋最下部ユニット１５の出入り口３とが上下に連続してこの部分に開閉扉３ａが取付けられるものである。
【００２６】
エレベータ用塔屋最下部ユニット１５の上に出入り口３のないエレベータ用塔屋副ユニット６を積み重ねて連結し、更に、エレベータ用塔屋副ユニット６の上に多段（図１に示す実施形態では３段）にエレベータ用塔屋基本ユニット５を積み重ねて連結し、更に、最部にエレベータ用塔屋最上段ユニット９を積み重ねてて連結する。ここで、各エレベータ用塔屋ユニット１同士は上下方向に積載した状態で、下段のエレベータ用塔屋ユニット１の上端部の四隅に上方に向けて突出した断面コ字状をした鋼製の接続突部２２を図１２に示すように上段のエレベータ用塔屋ユニット１の四隅に設けたＨ型鋼よりなる柱１６の下端部内に嵌め込み、ボルト２９を用いて固着するものであり、このボルト２９による固着はエレベータ用塔屋ユニット１内に柱１６が露出していることからエレベータ用塔屋ユニット１の内部からの操作でできるものである。なお、ボルト２９が螺合されるナット３０はあらかじめ工場においてＨ型鋼に溶接してある。上記のようにして上下に連結することで、エレベータ用塔屋ユニット１の柱１６を上下方向に連続一体化できるものである。
【００２７】
上記のようにして建物Ｂの階段や外廊下の外側方位置にエレベータの塔屋Ａを構築するのであるが、この場合、各エレベータ用塔屋ユニット１はクレーンで持ち上げて積み重ねるものである。そして、エレベータ用塔屋基本ユニット５にあらかじめ外側方に向けて一体に突設形成してある通路用床４の突出先端部が建物Ｂの階段３１の踊り場３２や外廊下等に近接して配置される。ここで、建物Ｂが既設の建物Ｂの場合、既設の建物Ｂの踊り場３２や外廊下等に設けてある手摺りや腰壁３３を除去して通路用床４に対向する部分を開放し、建物Ｂの踊り場３２や外廊下から通路用床４に歩いて移行できるようにするものである。この場合、通路用梁４ｂの先端部を図１６に示すように、既設の建物Ｂの踊り場３２や外廊下等に連結するものである。連結に当たっては、あらかじめ通路用梁４ｂの先端部に架設した前梁４ｆと建物Ｂの踊り場３２や外廊下等のスラブ部５３とを連結部材５４によりボルト５５、ナット５６で連結固着してある。
【００２８】
これにより塔屋Ａは通路用梁４ｂを介して既設の建物Ｂに構造的に連結できる。この場合、Ｈ型鋼により形成した通路用梁４ｂはウェッブ片４ｂ１が横向きとなるように配置してあるので、強軸方向が水平方向となり、この強軸方向となった通路用梁４ｂによりエレベータの塔屋Ａの倒れを防止する性能が向上するものである。一方、通路用梁４ｂは弱軸方向である垂直方向においては、主に通路用床４の上を通る人や物の荷重を支持するのみでよいので、垂直方向が弱軸方向となっても問題がないものである。
【００２９】
上記のように、塔屋Ａは通路用梁４ｂを介して図１６に示すように、既設の建物Ｂに構造的に連結した後、高さ調整用座金５２の厚みや重ねる数を調整して、通路用梁４ｂの突出先端側に取付けられる支持枠材４ｃの高さを調整し、これにより通路用床４の床上面材４ａの突出先端側の高さを調整することで、既存の建物踊り場３２や外廊下の床面とレベルを合わせる。更に、通路用床４の床上面材４ａに踏み板３４の一端部を重ねて取付け、踏み板３４の他端部を既存の建物の踊り場３２や外廊下の床面の端部に重ねるものである。
【００３０】
また、既存の建物踊り場３２や外廊下のスラブ部５３の端面には水切りカバー材５４の上端部を取付け、水切りカバー材５４の他端部の垂下片を前梁４ｆのＵ字状をした樋部４ｆ１内に挿入し、既存の建物の踊り場３２や外廊下の床面から踏み板３４の他端部の下面側に沿って流れた雨水を水切りカバー材５４によりＵ字状をした前梁４ｆの樋部４ｆ１に流すようになっている。この前梁４ｆの樋部４ｆ１には端部に縦樋などを接続して排水するようにする。図中５９はコーキング材である。
【００３１】
エレベータの塔屋Ａ内に形成された上下に連続したエレベータ昇降路２内には図５、図６、図１３に示すようにガイドレール３５が上下にわたって配設される。ガイドレール３５の下端部はピット２６の底面部に立設して固着され、ガイドレール３５は上下方向の複数箇所においてエレベータ用塔屋ユニット１の主体を構成する架構体ユニットに連結部材を介して連結支持してある。ガイドレール３５の上端部間には横架材３６が架設してあり、横架材３６に吊り部材３７を介して支持ベース部材４０が取付けてあり、支持ベース部材４０に昇降駆動装置３８が載設してある。
【００３２】
昇降駆動装置３８にはモータとモータにより回転駆動されるシーブとが設けてあり、シーブにワイヤが掛け回してあって、ワイヤの一端部にエレベータのかご装置３９を取付けるとともにワイヤの他端部につり合い重り４１を取付けてあり、モータを回転駆動することでかご装置３９を昇降するようになっている。図中３９ａはかご装置３９に設けた扉である。
【００３３】
通路用側壁部１０とエレベータ用塔屋ユニット１の外壁部１１との間に形成された配線用スペース１２には各種配線を通すものであり、このように、通路用側壁部１０とエレベータ用塔屋ユニット１の外壁部１１との間の配線用スペース１２に各種電気配線を通すことで、エレベータ昇降路２とは離れた位置、つまりかご装置３９やつり合い重り４１の昇降する部分から離れた位置で配線ができ、これにより電気配線がかごの昇降に支障がないようにできるものである。
【００３４】
エレベータ用塔屋最下部ユニット１５の上に設けたエレベータ用塔屋副ユニット６の庇部８はエレベータ用塔屋最下部ユニット１５の出入り口３と同じ面側に位置させ、エレベータ用塔屋最下部ユニット１５の出入り口３から利用者が出入りする際に雨がかからないように庇の役目をするものである。また、エレベータ用塔屋基本ユニット５を上下に連続して積み重ねた部分においては上段のエレベータ用塔屋基本ユニット５の外側方に突出した通路用床４が下段のエレベータ用塔屋基本ユニット５の通路用床４の真上に位置し、このため、上段の通路用床４が下段の通路用床４を通行する利用者にとっては庇の役目をして雨がかからないようになっている。更に、エレベータ用塔屋最上段ユニット９に設けた庇部８は上から２段目のエレベータ用塔屋基本ユニット５の外側方に突出した通路用床４の真上に位置し、このため、エレベータ用塔屋最上段ユニット９に設けた庇部８が上から２段目のエレベータ用塔屋基本ユニット５の通路用床４を通行する利用者にとっては庇の役目をして雨がかからないようなっている。
【００３５】
上記のように、本発明によれば、現場においては、エレベータ用塔屋ユニット１を上下に複数積み重ねてエレベータの塔屋Ａを構築することで、同時に通路用床４、風雨除けのための通路用側壁部１０、庇部８等も同時に形成できて、現場で、別工程の現場施工により通路用床４、風雨除けのための通路用側壁部１０、庇部８等を形成する必要がなく、現場工事を大幅に簡略化且つ短縮化できるものである。
【００３６】
本発明のエレベータの塔屋Ａは、既設の中層マンションのような建物Ｂにエレベータを新たに付設する場合に特に有効である。つまり、既設の中層マンションのような建物Ｂに殆ど手を加える必要がないので、建物Ｂに居住者が居住したまま、建物Ｂの外側方に独立して短時間でエレベータの塔屋Ａを構築することができるのである。
【００３７】
もちろん、新築の建物においても本発明のエレベータの塔屋Ａを付設することができるものである。
【００３８】
【発明の効果】
上記のように本発明の請求項１記載の発明にあっては、内部に上下に連続したエレベータ昇降路を形成するエレベータの塔屋に出入り口を設けると共に、塔屋から外側方に突出する通路用梁と、通路用梁に直交して取付けられる複数の支持枠材と、支持枠材の上に敷設される床上面材とで前記出入り口に通じる外側方に突出した通路用床を形成し、通路用梁の突出端部に取付けられる支持枠材を通路用梁に対して高さ調整自在に取付けることでこの通路用床の床上面材の突出先端側の高さを調整する高さ調整手段を設けてあるので、高さ調整手段を調整して通路用床の床上面材の突出先端側の高さを調整することにより、エレベータの塔屋に隣接する既存の建物の階段の踊り場や外廊下との間に段差が生じないようにできて、既存の建物の階段の踊り場や外廊下から通路用床にスムーズに歩行することができるものであり、また、高さ調整手段が簡略化できるものである。
【００４０】
また、請求項２記載の発明にあっては、上記請求項１記載の発明の効果に加えて、通路用梁がウェッブ片の両側にフランジ片を一体に備えたＨ型鋼により形成され、通路用梁をウェッブ片が横向きとなるように配置してあるので、通路用梁は強軸方向が水平方向となり、通路用梁の先端部を既存の建物に連結した場合に水平方向が強軸方向となった通路用梁におけるエレベータの塔屋の倒れを防止性能が向上して、塔屋の強度を増大させることができるものであり、また、通路用梁の弱軸方向である垂直方向においては、主に通路用床の上を通る人や物の荷重を支持するのみでよくて、垂直方向が弱軸方向となっても問題がないものである。
【図面の簡単な説明】
【図１】本発明のエレベータの塔屋を建物の外側方に隣接して構築した一例を示す側面図である。
【図２】同上の正面図である。
【図３】同上の側面断面図である。
【図４】同上の正面断面図である。
【図５】同上のガイドレールやエレベータかご装置等の内部機構を記載した正面図である。
【図６】同上のガイドレールやエレベータかご装置等の内部機構を記載した側面図である。
【図７】同上の斜視図である。
【図８】同上のエレベータ用塔屋基本ユニットの一例を示す斜視図である。
【図９】同上のエレベータ用塔屋基本ユニットの一例を示す通路用床部分における平断面図である。
【図１０】同上のエレベータ用塔屋基本ユニットの一例を示す天井部分における平断面図である。
【図１１】（ａ）は同上のエレベータ用塔屋最下部ユニットの柱の下端部を示す平断面図であり、（ｂ）は側面図である。
【図１２】同上の柱と接続突部との接続を示す断面図である。
【図１３】同上のエレベータ昇降路内にガイドレール及びエレベータかご装置及び昇降駆動装置を設備した部分の断面図である。
【図１４】同上の通路用梁を建物のスラブ部に連結した部分の断面図である。
【図１５】同上の通路用床の側面断面図である。
【図１６】同上の通路用床の正面断面図である。
【図１７】同上の他の実施形態の通路用床の側面断面図である。
【符号の説明】
２  エレベータ昇降路
３  出入り口
４  通路用床
４ａ  の床上面材
４ｂ  通路用梁
４ｂ１  ウェッブ片
４ｂ２  フランジ片
４ｃ  支持枠材
Ａ  塔屋
【図１】
0003695281.tif 000002
【図２】
0003695281.tif 000003
【図３】
0003695281.tif 000004
【図４】
0003695281.tif 000005
【図５】
0003695281.tif 000006
【図６】
0003695281.tif 000007
【図７】
0003695281.tif 000008
【図８】
0003695281.tif 000009
【図９】
0003695281.tif 000010
【図１０】
0003695281.tif 000011
【図１１】
0003695281.tif 000012
【図１２】
0003695281.tif 000013
【図１３】
0003695281.tif 000014
【図１４】
0003695281.tif 000015
【図１５】
0003695281.tif 000016
【図１６】
0003695281.tif 000017
【図１７】
0003695281.tif 000018